(57)【要約】  本発明は、パネルであって、縦エッジもしくは横エッジに、それぞれ該当する縦エッジもしくは横エッジを越えて張り出し、実質的に平行なさね面を備えたさねが設けられ、かつ対向して位置する縦エッジもしくは横エッジに、隣接するパネルのさねに対応し、側方のパネル区分により包囲され、実質的に平行な溝側面を備えた溝が設けられており、隣接し、差し合わされた２つのパネルを係止するために、少なくとも１つのさね面に部分的に、少なくとも１つの張り出した係止部材が設けられ、かつパネル区分の、パネルを互いに結合したときにそれぞれの係止部材に対応する領域にそれぞれ、係止部材に対応配置された凹部が設けられている形式のものに関する。さねの、係止部材を支持する領域（Ｂ）および／またはさねおよびパネル区分の、溝内にさねを導入する際に係止部材が凹部内に掛止される前に接触している領域のうちの少なくとも１つの領域がそれぞれ弾性的に、それぞれの弾性が係止部材の弾性よりも大きいように形成されているようにした。
2008513634.tif 000002
【特許請求の範囲】
【請求項１】
パネル、特に床パネルであって、縦エッジおよび／または横エッジに、それぞれ該当する縦エッジおよび／または横エッジを越えて張り出し、実質的に平行なさね面（３ａ，３ｂ）を備えたさねが設けられ、かつ対向して位置する縦エッジおよび／または横エッジに、隣接するパネルのさねに対応し、側方のパネル区分により包囲され、実質的に平行な溝側面（９，１０）を備えた溝が設けられており、隣接し、差し合わされた２つのパネルを係止するために、少なくとも１つのさね面（３ａ，３ｂ）に部分的に、少なくとも１つの張り出した係止部材が設けられ、かつパネル区分の、パネルを互いに結合したときにそれぞれの係止部材に対応する領域にそれぞれ、係止部材に対応配置された凹部が設けられている形式のものにおいて、さねの、係止部材を支持する領域（Ｂ）および／またはさねおよびパネル区分（７もしくは８）の、溝内にさねを導入する際に係止部材が凹部内に掛止される前に接触している領域（ＣもしくはＡもしくはＤもしくはＥ）のうちの少なくとも１つの領域がそれぞれ弾性的に、それぞれの弾性が係止部材の弾性よりも大きいように形成されていることを特徴とするパネル、特に床パネル。
【請求項２】
係止部材と、さねの、係止部材を支持する領域とが２部分から形成されている、請求項１記載のパネル。
【請求項３】
パネル、特に床パネル、特に請求項１または２記載のパネル、特に床パネルであって、縦エッジおよび／または横エッジに、それぞれ該当する縦エッジおよび／または横エッジを越えて張り出し、実質的に平行なさね面（３ａ，３ｂ）を備えたさねが設けられ、かつ対向して位置する縦エッジおよび／または横エッジに、隣接するパネルのさねに対応し、側方のパネル区分により包囲され、実質的に平行な溝側面（９，１０）を備えた溝が設けられており、隣接し、差し合わされた２つのパネルを係止するために、少なくとも１つのパネル区分に部分的に、少なくとも１つの張り出した係止部材が設けられ、かつさね面（３ａ，３ｂ）の、パネルを互いに結合したときにそれぞれの係止部材に対応する領域にそれぞれ、それぞれの係止部材に対応配置された凹部が設けられている形式のものにおいて、相応のパネル区分の、係止部材を支持する領域（Ｂ）および／またはさねおよびパネル区分（７もしくは８）の、溝内にさねを導入する際に係止部材が凹部内に掛止される前に接触している領域（ＣもしくはＡもしくはＤもしくはＥ）のうちの少なくとも１つの領域がそれぞれ弾性的に、それぞれの弾性が係止部材の弾性よりも大きいように形成されていることを特徴とするパネル、特に床パネル。
【請求項４】
係止部材と、パネル区分の、係止部材を支持する領域とが２部分から形成されている、請求項３記載のパネル。
【請求項５】
少なくとも１つの係止部材がさねの下面および／または上面に設けられている、請求項１または２を引用する、請求項１から４までのいずれか１項記載のパネル。
【請求項６】
少なくとも１つの係止部材が上側のパネル区分の下面および／または下側のパネル区分の上面に設けられている、請求項３から５までのいずれか１項記載のパネル。
【請求項７】
少なくとも２つの係止部材が設けられている、請求項１から６までのいずれか１項記載のパネル。
【請求項８】
少なくとも２つの係止部材の中心間の間隔（ａ）が若干、対応する凹部の中心間の間隔（ｂ）とは異なる、請求項１から７までのいずれか１項記載のパネル。
【請求項９】
少なくとも１つの係止部材がほぼ半円形の突起として形成されている、請求項１から７までのいずれか１項記載のパネル。
【請求項１０】
少なくとも１つの係止部材が、簡単な導入のために、少なくとも表面側で勾配を成して、特に三角形または矢形に形成されている、請求項１から９までのいずれか１項記載のパネル。
【請求項１１】
少なくとも１つの係止部材が埋入部内に埋入されている、請求項１から１０までのいずれか１項記載のパネル。
【請求項１２】
少なくとも１つの係止部材がエチレンビニルアセテートから成る、請求項１から１１までのいずれか１項記載のパネル。
【請求項１３】
少なくとも１つの係止部材がポリウレタンから成る、請求項１から１２までのいずれか１項記載のパネル。
【請求項１４】
下側のパネル区分がエッジ側で上側のパネル区分と面一に終わるか、または上側のパネル区分に対してずらされて形成されている、請求項１から１３までのいずれか１項記載のパネル。
【請求項１５】
張り出した係止部材の体積が、下側もしくは上側のパネル区分もしくはさねの、導入時に弾性に基づいて圧縮される領域のそれぞれの体積よりも明らかに小さい、請求項１から１４までのいずれか１項記載のパネル。
【請求項１６】
パネルの表面が少なくとも２つのサイドエッジで丸み付けられているか、または面取りされている、請求項１から１５までのいずれか１項記載のパネル。
【発明の詳細な説明】
【技術分野】
【０００１】
本発明は、パネル、特に床パネルであって、縦エッジおよび／または横エッジに、それぞれ該当する縦エッジおよび／または横エッジを越えて張り出し、実質的に平行なさね面を備えたさね（Ｆｅｄｅｒ）が設けられ、かつ対向して位置する縦エッジおよび／または横エッジに、隣接するパネルのさねに対応し、側方のパネル区分により包囲され、実質的に平行な溝側面を備えた溝（Ｎｕｔ）が設けられており、隣接し、差し合わされた２つのパネルを係止するために、少なくとも１つのさね面に部分的に、少なくとも１つの張り出した係止部材が設けられ、かつパネル区分の、パネルを互いに結合したときにそれぞれの係止部材に対応する領域にそれぞれ、係止部材に対応配置された凹部が設けられている形式のものに関する。
【０００２】
この種のパネルは一般に木または木材、例えばチップボード、ＨＤＦボード（高密度ファイバボード）またはＭＤＦボード（中密度ファイバボード）から成る。この種のパネルは、ラミネート床または寄木張り床の敷設のためにまたは壁パネルおよび天井パネルとして適している。木材は一般に上面の装飾層を有している。装飾層は、支持体材料上にラミネートされる塗装または印刷された装飾紙であることができる。床の場合、応力補償に基づいて、下面に一般にさらに対抗材が被着される。パネル自体は単層または複層に形成されていることができる。
【０００３】
係止のために、結合したいパネルは差し合わされる。欠点としてその際、パネル区分が、張り出した係止部材に基づいて、各係止部材がさらなる導入時にその対応する凹部に進入するまで拡開されるもしくは押し広げられることが挙げられる。
【０００４】
本発明の課題は、公知のパネルを改良して、前記欠点を回避することである。
【０００５】
上記課題は、さねの、係止部材を支持する領域および／またはさねおよびパネル区分の、溝内にさねを導入する際に係止部材が凹部内に掛止される前に接触している領域のうちの少なくとも１つの領域がそれぞれ弾性的に、それぞれの弾性が係止部材の弾性よりも大きいように形成されていることにより解決される。係止部材と、さねの、係止部材を支持する領域、もしくは係止部材を支持するさねとは、例えば１部分からもしくはワンピースで形成されていることができる。
【０００６】
ただし、係止部材と、さねの、係止部材を支持する領域、もしくは係止部材を支持するさねとを２部分から形成することも当然可能である。
【０００７】
上記課題はまた、パネル、特に床パネルであって、縦エッジおよび／または横エッジに、それぞれ該当する縦エッジおよび／または横エッジを越えて張り出し、実質的に平行なさね面を備えたさねが設けられ、かつ対向して位置する縦エッジおよび／または横エッジに、隣接するパネルのさねに対応し、側方のパネル区分により包囲され、実質的に平行な溝側面を備えた溝が設けられており、隣接し、差し合わされた２つのパネルを係止するために、少なくとも１つのパネル区分に部分的に、少なくとも１つの張り出した係止部材が設けられ、かつさね面の、パネルを互いに結合したときにそれぞれの係止部材に対応する領域にそれぞれ、それぞれの係止部材に対応配置された凹部が設けられている形式のものにおいて、相応のパネル区分の、係止部材を支持する領域および／またはさねおよびパネル区分の、溝内にさねを導入する際に係止部材が凹部内に掛止される前に接触している領域のうちの少なくとも１つの領域がそれぞれ弾性的に、それぞれの弾性が係止部材の弾性よりも大きいように形成されていることにより解決される。
【０００８】
係止により、互いに結合される２つのパネルは、導入方向の正逆方向でも、パネルの上面に対して垂直な方向でも係止されている。
【０００９】
係止部材は例えば点状の隆起として形成されていることができる。択一的には、係止部材が、縦長の、有利にはエッジ長手方向で延在する隆起として形成されていることができる。この隆起は中断されていたり、一貫して形成されていたりすることができる。
【００１０】
前記領域の個数は可変である。より高い弾性を有する領域が１つだけ設けられているのであれば、この領域は有利には、係止部材の高さにほぼ相当する寸法の分だけ圧縮可能である。２つの相応の領域が配置されている場合、例えば、各領域が係止部材の高さのほぼ半分の値の分だけ圧縮可能であれば十分である。
【００１１】
前記領域を配置するにあたり、種々異なる構成が存在する。つまり、例えば、さねまたはパネル区分の部分である領域が１つだけ設けられていることができる。ただし、２つの領域を両さね面または両パネル区分に分配して設けるか、またはさねおよび一方のパネル区分に分配して設けることも当然可能である。
【００１２】
また、３つまたは４つの領域をさねおよび両パネル区分に分配することも考え得る。つまり、例えばそれぞれ１つの領域が両さね面の領域および一方のパネル区分に、または一方のさね面の領域および両パネル区分に設けられていることができる。両さね面および両パネル区分でのそれぞれ１つの領域の配置も可能である。
【００１３】
また、それぞれの完全なパネル区分または完全なさねが、係止部材の弾性よりも大きな弾性を有していることも可能である。ただし、係止部材を支持する領域またはさねの導入時に接触する領域にのみ、相応に高い弾性を設けることも当然可能である。
【００１４】
より高い弾性を有するこの領域の材料と、さねまたはパネル区分の、それに結合される残りの部分の材料とは基本的にそれぞれ異なっていることができる。その際、形状接続（Ｆｏｒｍｓｃｈｌｕｓｓ：形状による束縛）または接着剤またはその他の適当な固定手段により、領域はさねおよび／またはパネル区分の残りの部分に結合されている。
【００１５】
より高い弾性を有する領域と、さねまたはパネル区分の残りの部分とはただし、いわば統一的な材料から製作されていることもできる。その際、材料は例えばより高い弾性を有する領域でそれぞれ異なる状態にコンディショニングされており、その結果、より高い弾性を有する領域には、例えば異なる密度が存在する。
【００１６】
パネル区分および／またはさねの高い弾性は、一方のパネルのさねを、隣接するパネルの溝内に、旋回および／または水平の摺動により導入する際に、パネル区分もしくはさねの材料が、張り出した係止部材により圧縮され、それにより、十分なスペースが生じることを可能にする。それにより、さねは完全に溝内に、パネル区分の拡開なしに導入されることができる。さねがその係止位置に達すると、各係止部材は、対応する凹部のレベルにほぼ存在する。その結果、パネル区分および／またはさねの弾性に基づいて、各係止部材はその所属の切欠き内に移動される。取り外し時、すなわち溝からさねを引き抜く際には、逆の経過が実施される。
【００１７】
係止部材の配置は任意であることができる。つまり、例えば１つの係止部材だけがさねまたはパネル区分に配置されていることができる。択一的には、例えばそれぞれ１つの係止部材が両さね面または両溝側面に、またはただし選択的に一方のさね面と一方の溝側面とに設けられていることができる。
【００１８】
やはり、パネル区分を互いに面一に配置することも考え得る。ただし、例えば下側のパネル区分を張り出して形成することも当然可能である。
【００１９】
天井の外装のために本発明によるパネルを使用する場合、取り付けはかなり簡単化される。それというのも、なお固定したいパネルは簡単に、既に天井に取り付けたパネルの溝内に導入されることができるからである。掛止結合に基づいて、まだ取り付け終わっていないパネルはつまり、軽微に傾いた状態で十分に保持される。その結果、このパネルはその後第２の作業ステップで例えば釘またはクランプにより天井に固定されることができる。
【００２０】
係止部材と、係止部材を支持するパネル区分、もしくはパネル区分の、係止部材を支持する領域とは、１部分からもしくはワンピースで形成されていることができる。
【００２１】
択一的には、係止部材と、係止部材を支持するパネル区分、もしくはパネル区分の、係止部材を支持する領域とが２部分から形成されていることができる。係止部材自体は例えば非弾性的であることができ、例えば金属から製作された隆起であることができる。ただし、係止部材も少なくとも僅かに弾性的であることも当然可能である。
【００２２】
少なくとも１つの係止部材がさねの下面および／または上面に設けられていることができる。
【００２３】
補足的または択一的には、少なくとも１つの係止部材が上側のパネル区分の下面および／または下側のパネル区分の上面に設けられていることができる。
【００２４】
少なくとも２つの係止部材が設けられていることができる。これらの両係止部材は例えば同じレベルでさねの対向して位置する面に配置されているか、またはただし導入方向で見てずらされて、一方の面または対向して位置する２つの面に配置されていることができる。例えば２つの係止部材をさねに配置し、２つの別の係止部材を一方のパネル区分に配置することも可能である。１つの係止部材をさねに、１つの係止部材を一方のパネル区分に配置することももちろん可能である。
【００２５】
その際、少なくとも２つの係止部材の中心間の間隔が若干、対応する凹部の中心間の間隔とは異なることが考えられる。それにより、隣接するパネルはより強く係止される。それというのも、両間隔の偏差に基づいて、係止部材が応力を、該当する切欠きの内壁に及ぼすからである。
【００２６】
少なくとも１つの係止部材はほぼ半円形の突起として形成されていることができる。また、係止部材は、簡単な導入のために、少なくとも表面側で勾配を成して、特に三角形または矢形に形成されていることもできる。ただし、別の横断面形状も考え得る。
【００２７】
例えば取り外しの際に係止部材がその支持体材料から思いがけず解離してしまうことを避けるために、少なくとも１つの係止部材が埋入部内に埋入されていることができる。適当な付加的な手段、例えば接着により、係止部材と支持体材料との間の付着は改善されることができる。
【００２８】
少なくとも１つの係止部材はエチレンビニルアセテートまたはポリウレタンから成ることができる。係止部材は例えば、加熱された状態で直接支持体材料、すなわちパネル区分またはさねに被着され、ここで冷却時に結合する熱溶融型接着剤（Ｓｃｈｍｅｌｚｋｌｅｂｅｒ）であることができる。
【００２９】
下側のパネル区分はエッジ側で上側のパネル区分と面一に終わるか、または上側のパネル区分に対してずらされて形成されていることができる。
【００３０】
有利には、張り出した係止部材の体積が、下側もしくは上側のパネル区分もしくはさねの、導入時に弾性に基づいて圧縮される領域のそれぞれの体積よりも明らかに小さい。
【００３１】
パネルの表面は少なくとも２つのサイドエッジで丸み付けられているか、または面取りされていることができる。それにより、個々のパネルは確かにそれぞれのサイドエッジで従来慣用の形式で突き合わされるが、平坦でないもしくは少なくとも二次元的に変形された表面を備えたパネルが、板張り床またはこれに類するものにおいて生じる。その際、上面の装飾層は１部分から形成されていることができる、すなわち、面取りされたまたは丸み付けられた領域をも一緒に覆うことができる。ただし、面取りされたもしくは丸み付けられた領域を別個の化粧層により覆うか、または塗装することも当然可能である。
【００３２】
以下に、本発明の、図面に示した実施例について説明する。
図１〜図５：互いに結合したい２つの本発明によるパネルの部分断面図である。
図６〜図１０：係止部材の種々異なる実施形態を示す図である。
図１１〜図１３：別の実施例を示す図である。
図１４：互いに結合された２つの壁パネルもしくは天井パネルの部分断面図である。
【００３３】
全図で、同一もしくは同種の構成部分のために、一致した符合を使用する。
【００３４】
図１〜図５および図１１〜図１３には、それぞれ異なる構成の、２つの結合したいパネル１，２の部分断面図が示されている。結合のために、パネル１には、実質的に平行なさね面３ａ，３ｂを備えた、エッジ面で張り出したさね３が設けられている。さね３は表面４に対しても裏面５に対しても後退されて配置されている。
【００３５】
パネル２は、さね３に対応して形成され、上側のパネル区分７と下側のパネル区分８とにより包囲されている溝６を有している。溝６は２つの実質的に平行な溝側面９，１０を有している。
【００３６】
図１〜図５および図１３では、上側のパネル区分７と下側のパネル区分８とが互いに面一に終わっている。図１１および図１２では、下側のパネル区分８が上側のパネル区分７に対して張り出して形成されている。
【００３７】
図１〜図３および図１１〜図１３に示した実施例では、上側のパネル区分７の、それぞれの隣接するパネル１もしくは２に面したサイドエッジが、表面４に対して直角に方向付けられており、それゆえ、パネル１，２は表面４の領域で接触する。図５は、この領域が面取りされている実施例を示し、図４には、本発明によるパネル１もしくは２の、丸み付けられた実施例が示されている。
【００３８】
図２〜図５ならびに図１１〜図１３に示した実施例では、少なくとも一方のさね面３ａもしくは３ｂに（図２および図３では両さね面３ａ，３ｂに）、それぞれ１つの係止部材もしくはロックエレメント１１が設けられている。係止部材１１は有利には、縦エッジであっても横エッジであってもよい相応のエッジの全長にわたって延在している。図１は、係止部材１１が上側のパネル区分７の下面に配置されている実施例を示す。
【００３９】
係止部材１１は種々異なる横断面形状を有していることができる。図３では、係止部材１１が導入方向（矢印１２）で見て勾配を成して形成されており、ほぼ矢形の形態を有している。係止部材１１はその際、さね側の埋入部１３内に埋入されている。
【００４０】
図２に示した実施例では、係止部材１１がほぼ方形に形成されており、埋入部１３内に配置されている。
【００４１】
図１、図４および図５では、係止部材１１がほぼ半円形の輪郭を有している。その際、図１に示した係止部材１１は、上側のパネル区分７の平坦な表面に固定されており、図４および図５に示した実施例では、それぞれ１つの埋入部１３がさね３のさね面３ａに存在する。
【００４２】
係止部材１１の、別の考え得る実施形態は、図６〜図１０に示されている。その際、ここではパネル区分７，８もしくはさね３上に被着することも、埋入部１３内に埋入することも可能である。
【００４３】
図６に示した係止部材１１はほぼ方形の横断面を有し、図７に示した係止部材１１はほぼ半円形の横断面を有し、かつ図８および図１０に示した係止部材１１はほぼ三角形の横断面を有している。その際、図１０に示した係止部材１１はより良好な導入のためにほぼ矢形に形成されている。
【００４４】
図９には、円形の横断面を有する係止部材１１が示されている。その結果、埋入部１３自体は相応の半円形の輪郭を有している。
【００４５】
図１２には、下側のパネル区分８が張り出して形成されている実施例が示されている。
【００４６】
２つの隣接するパネル１，２を係止するために、各係止部材１１には凹部１４が対応配置されている。凹部１４は、他方のパネル１，２の、係止部材１１と対応する領域に配置されている。
【００４７】
つまり、例えば図１では、凹部１４がさね３のさね面３ａに設けられている。図２および図３に示した構成では、それぞれ１つの凹部１４がパネル区分７もしくは８に配置されている。
【００４８】
図１２に示した実施例では、下側のパネル区分８に設けられた２つの凹部１４と、上側のパネル区分７に設けられた１つの凹部１４とが明らかに認識可能である。隣接するパネル１のさね３はその結果１つの係止部材１１をさね面３ａに、２つの係止部材１１をさね面３ｂに有している。
【００４９】
この実施例では、凹部１４が下側のパネル区分８に設けられているのに対し、図１に示した実施例では、凹部１４がさね３のさね面３ａに設けられている。
【００５０】
係止作用を高めるために、両係止部材１１の中心間の間隔ａは少なくとも若干、所属の凹部１４の間隔ｂとは異なる。それにより、係止部材１１は逆方向の応力を凹部１４の内壁の部分に及ぼす。
【００５１】
類似の配置は図２にも示されている。ここでは、両係止部材１１の中心が同じレベルに位置しているのに対し、対応する凹部１４の中心は互いに間隔ｂを置いて配置されている。
【００５２】
図１３には、（矢印１２の方向での）取り付けまたは（矢印１２とは逆方向での）取り外しの際にその比較的大きな弾性に基づいて圧縮される領域Ａ，Ｂ，Ｃ，Ｄの可能な配置が波線で暗示されている。
【００５３】
係止部材１１を支持する領域Ｂだけが係止部材１１の弾性よりも大きな弾性を有していることも当然考え得る。この領域Ｂの高さはその際、パネル１がパネル２内に旋回および／または水平方向の摺動により矢印１２の方向で、パネル区分７，８の拡開を生ぜしめることなく導入され得るように選択されている。
【００５４】
別の配置も考え得る。つまり、例えばパネルが、相応の弾性を有する２つの領域Ａ，Ｄを有していることができる。２つの領域Ａ，Ｄが設けられているのであれば、領域Ａ，Ｄが合計で圧縮されなければならない寸法は、両領域Ａ，Ｄに分配される。
【００５５】
もちろん別の組み合わせも可能である。つまり、例えば領域Ｃのみが単独で、またはただし１つの別の領域Ａ，ＢまたはＤまたは複数の別の領域と組み合わされて、相応により高い弾性を有していることができる。
【００５６】
領域Ａ〜Ｄと、さね３およびパネル区分７もしくは８の、領域Ａ〜Ｄに隣接する残りの部分とは、基本的にそれぞれ異なる材料から成ることができ、適当な手段、例えば接着剤または形状接続を介して互いに結合されている。ただし、領域Ａ〜Ｄと、さね３およびパネル区分７もしくは８の、領域Ａ〜Ｄに隣接する残りの部分とが、いわば統一的な材料から成ることも当然可能であり、その際、領域Ａ〜Ｄはその場合異なる状態にコンディショニングされている。
【００５７】
例えば領域Ａだけがより大きな弾性を有しているのであれば、この領域Ａは矢印１２の方向での導入時に係止部材１１の高さの分だけ、係止部材１１が相応の凹部１４内に進入し、ここで掛止されるまで圧縮される。弾性に基づいて、領域Ａはその後それ本来の形態を再び取る。
【００５８】
図１２に示した実施例では２つの凹部１４が下側のパネル区分８に設けられているので、ここでは、凹部１４間に配置されている領域Ｅも、例えば水平の摺動による導入のために必要であるのであれば、より高い弾性を有していることができる。
【００５９】
付加的に、導入時に、係止部材１１も、十分な弾性的な特性を提供可能であるのであれば、圧縮されることができる。このことはやはり図１３に波線で示されている。
【００６０】
図１４に示した実施形態では、溝６の幅が、さね３の、溝６内に導入される領域における厚さよりも大きい。この理由は、溝６内になお一翼式のクランプ１６の羽根１５が導入されることにある。クランプ１６自体は、暗示された基礎１７に、例えば釘止めまたはねじ止めにより固定されている。
【００６１】
さね３のさね面３ａには、半円形の埋入部１３が設けられており、埋入部１３内には、円形の横断面を有する係止部材１１が埋設されている。係止部材１１は例えば被着された熱溶融型接着剤であることができる。パネル２の上側のパネル区分７の下面には、対応する凹部１４が設けられている。
【００６２】
もちろん、例えば図１３に示した実施例で、さね面３ａに、導入方向（矢印１２）で見て相前後して配置された２つの係止部材１１を設け、上側のパネル区分７に、相応の個数の凹部１４を設けることが可能である。そのような実施形態は、パネル１，２間の可視の継ぎ目の幅を、継ぎ目なしから、ほぼ係止部材１１の間隔に相当する幅の継ぎ目まで変更することを許可する。
【図面の簡単な説明】
【００６３】
【図１】互いに結合したい２つの本発明によるパネルの部分断面図である。
【図２】互いに結合したい２つの本発明によるパネルの部分断面図である。
【図３】互いに結合したい２つの本発明によるパネルの部分断面図である。
【図４】互いに結合したい２つの本発明によるパネルの部分断面図である。
【図５】互いに結合したい２つの本発明によるパネルの部分断面図である。
【図６】係止部材の一実施形態を示す図である。
【図７】係止部材の一実施形態を示す図である。
【図８】係止部材の一実施形態を示す図である。
【図９】係止部材の一実施形態を示す図である。
【図１０】係止部材の一実施形態を示す図である。
【図１１】別の実施例を示す図である。
【図１２】別の実施例を示す図である。
【図１３】別の実施例を示す図である。
【図１４】互いに結合された２つの壁パネルもしくは天井パネルの部分断面図である。
【図１】
2008513634.tif 000003
【図２】
2008513634.tif 000004
【図３】
2008513634.tif 000005
【図４】
2008513634.tif 000006
【図５】
2008513634.tif 000007
【図６】
2008513634.tif 000008
【図７】
2008513634.tif 000009
【図８】
2008513634.tif 000010
【図９】
2008513634.tif 000011
【図１０】
2008513634.tif 000012
【図１１】
2008513634.tif 000013
【図１２】
2008513634.tif 000014
【図１３】
2008513634.tif 000015
【図１４】
2008513634.tif 000016
【国際調査報告】
2008513634.tif 000017
2008513634.tif 000018
2008513634.tif 000019
2008513634.tif 000020